(57)【要約】【課題】複数の畳体を美麗に敷設できるうえに、床見切材と畳体間の目地との交差部に形成される隙間から見ても美観を呈する床見切材を提供する。【解決手段】畳体２，・・・と床材３との間に設けて境界部を形成する床見切材１であって、畳体２，・・・と床材３との間の床下地材５に固定される受け材１１と、受け材１１の上面を覆うように取り付けられるカバー材１２とから成り、受け材１１は、畳体２側の側面１１ａが畳体２の側面に圧接されるように設けられた状態で、畳体２，２間の目地との交差部に形成される隙間から見える高さを有しており、カバー材１２は、先端部が畳体２の側面に当接される畳体側庇状部１２１と、先端部が床材３の上面を覆う床材側庇状部１２２とを有しており、カバー材１２の上面により、畳体２，・・・の上面と床材３の上面との間が略面一となるように取り付けられる構成とされている。【選択図】図２
2015059405.tif 000002
【特許請求の範囲】
【請求項１】
畳体と床材との間に設けて境界部を形成する床見切材であって、
前記畳体と前記床材との間の床下地材に固定される受け材と、該受け材の上面を覆うように取り付けられるカバー材とから成り、
前記受け材は、前記畳体側の側面が前記畳体の側面に圧接されるように設けられた状態で、前記畳体間の目地との交差部に形成される隙間から見える高さを有しており、
前記カバー材は、先端部が前記畳体の側面に当接される畳体側庇状部と、先端部が前記床材の上面を覆う床材側庇状部とを有していることを特徴とする床見切材。
【請求項２】
前記受け材は、金属製であり、前記畳体側の側面は、前記床材の表面の色と同一乃至類似した色で着色されていることを特徴とする請求項１に記載の床見切材。
【請求項３】
前記受け材の前記畳体側の側面に、前記床材の表面の色と同一乃至類似した色の化粧シートが貼設されていることを特徴とする請求項２に記載の床見切材。
【請求項４】
前記受け材は、上側に前記カバー材を嵌合して取り付ける嵌合溝を有するとともに、
前記カバー材は、下側に前記受け材の前記嵌合溝に嵌合する嵌合突起を有することを特徴とする請求項１乃至３のいずれか１項に記載の床見切材。
【請求項５】
前記受け材の前記嵌合溝の底面には、該受け材の下面まで貫通した締結部材挿通孔が設けられており、前記嵌合溝の上側から締結部材を挿入し、該締結部材を前記床下地材まで締結することで、前記受け材を、前記畳体と前記床材との間に固定することが可能であることを特徴とする請求項４に記載の床見切材。
【請求項６】
前記受け材の前記嵌合溝の縦壁面と前記カバー材の前記嵌合突起の外壁面とには、凹部と凸部がそれぞれ設けられており、嵌合状態で、両者の前記凹部と前記凸部とは噛み合わされることを特徴とする請求項４又は５に記載の床見切材。
【請求項７】
請求項１乃至６のいずれか１項に記載の床見切材を用いていることを特徴とする畳体・床材間の境界部構造。
【発明の詳細な説明】
【技術分野】
【０００１】
本発明は、畳体と床材との間に設けて境界部を形成する床見切材、及びこの床見切材を用いた畳体・床材間の境界部構造に関するものである。
【背景技術】
【０００２】
従来から、畳体と床材との間に設けて境界部を見栄え良く略面一に形成する床見切材が知られている（例えば特許文献１等を参照）。この床見切材は、床下地材に固定される受け材と、受け材に嵌合して固定されるカバー材とから成る。
【先行技術文献】
【特許文献】
【０００３】
【特許文献１】特開２０１３−１０４２６９号公報
【発明の概要】
【発明が解決しようとする課題】
【０００４】
ところで、複数の畳体を隙間なく並べ美麗に敷設するためには、畳体同士を圧接させる必要があり、そのためには、床見切材の側面に圧力をかける必要がある。
【０００５】
しかしながら、上記した特許文献１のような従来の床見切材では、受け材は、畳体との接触面積が小さいため、充分な圧力をかけることができない。なお、カバー材も畳体と当接しているものの、床下地材と直接固定されていないため、やはり充分な圧力をかけることができない。
【０００６】
また、上記した特許文献１のような従来の床見切材では、この床見切材を構成するカバー材が嵌め込まれる下側の受け材の側面が、畳体の側面と少ししか接しておらず、畳体の側面とは、カバー材から垂下した垂下片部の側面が多く接するようになっているため、床見切材と畳体間の目地との交差部に形成される隙間からは、この単調な形状の垂下片部の側面のみが見えることとなり、美観を呈するとは言い難いものであった。
【０００７】
そこで、本発明は、畳体に充分な圧力をかけることにより、複数の畳体を美麗に敷設できるうえに、床見切材と畳体間の目地との交差部に形成される隙間から見ても美観を呈する床見切材、及びこの床見切材を用いた畳体・床材間の境界部構造を提供することを目的としている。
【課題を解決するための手段】
【０００８】
前記目的を達成するために、本発明の床見切材は、畳体と床材との間に設けて境界部を形成する床見切材であって、前記畳体と前記床材との間の床下地材に固定される受け材と、該受け材の上面を覆うように取り付けられるカバー材とから成り、前記受け材は、前記畳体側の側面が前記畳体の側面に圧接されるように設けられた状態で、前記畳体間の目地との交差部に形成される隙間から見える高さを有しており、前記カバー材は、先端部が前記畳体の側面に当接される畳体側庇状部と、先端部が前記床材の上面を覆う床材側庇状部とを有していることを特徴とする。
【０００９】
ここで、前記受け材は、金属製であり、前記畳体側の側面は、前記床材の表面の色と同一乃至類似した色で着色されているとよい。
【００１０】
具体的には、前記受け材の前記畳体側の側面に、前記床材の表面の色と同一乃至類似した色の化粧シートが貼設されているとよい。
【００１１】
また、前記受け材は、上側に前記カバー材を嵌合して取り付ける嵌合溝を有するとともに、前記カバー材は、下側に前記受け材の前記嵌合溝に嵌合する嵌合突起を有するとよい。
【００１２】
ここで、前記受け材の前記嵌合溝の底面には、該受け材の下面まで貫通した締結部材挿通孔が設けられており、前記嵌合溝の上側から締結部材を挿入し、該締結部材を前記床下地材まで締結することで、前記受け材を、前記畳体と前記床材との間に固定することが可能であるとよい。
【００１３】
さらに、前記受け材の前記嵌合溝の縦壁面と前記カバー材の前記嵌合突起の外壁面とには、凹部と凸部がそれぞれ設けられており、嵌合状態で、両者の前記凹部と前記凸部とは噛み合わされるとよい。
【００１４】
本発明の畳体・床材間の境界部構造は、上記した本発明の床見切材を用いていることを特徴とする。
【発明の効果】
【００１５】
このような本発明の床見切材は、畳体と床材との間に設けて境界部を形成する床見切材であって、畳体と床材との間の床下地材に固定される受け材と、受け材の上面を覆うように取り付けられるカバー材とから成り、受け材は、畳体側の側面が畳体の側面に圧接されるように設けられた状態で、畳体間の目地との交差部に形成される隙間から見える高さを有しており、カバー材は、先端部が畳体の側面に当接される畳体側庇状部と、先端部が床材の上面を覆う床材側庇状部とを有している構成とされている。
【００１６】
上記した構成なので、受け材の畳体側の側面に、畳体との大きな接触面積が確保されているため、畳体に充分な圧力をかけることにより、複数の畳体を美麗に敷設できる。
【００１７】
そのうえ、畳体の側面側は、受け材の畳体側の側面と、カバー材の畳体側庇状部とが重なりあった複雑な形状であるため、床見切材と畳体間の目地との交差部に形成される隙間から見ても美観を呈する。
【００１８】
ここで、受け材は、金属製であり、畳体側の側面は、床材の表面の色と同一乃至類似した色で着色されている場合は、あたかも床材と畳体とが連続しているように見え、より美観を呈するうえに、特に受け材の畳体側の側面から受ける押圧力にも十分耐え得る剛性を持たせることができる。
【００１９】
具体的には、受け材の畳体側の側面に、床材の表面の色と同一乃至類似した色の化粧シートが貼設されている場合は、受け材の畳体側の側面を、床材の表面の色と同一乃至類似した色に簡易に着色することができる。
【００２０】
また、受け材は、上側にカバー材を嵌合して取り付ける嵌合溝を有するとともに、カバー材は、下側に受け材の嵌合溝に嵌合する嵌合突起を有する場合は、受け材へのカバー材の取り付けを嵌合するだけの容易な作業で行うことができる。
【００２１】
ここで、受け材の嵌合溝の底面には、受け材の下面まで貫通した締結部材挿通孔が設けられており、嵌合溝の上側から締結部材を挿入し、締結部材を床下地材まで締結することで、受け材を、畳体と床材との間に固定することが可能である場合は、受け材の固定を簡易に行うことができる。
【００２２】
さらに、受け材の嵌合溝の縦壁面とカバー材の嵌合突起の外壁面とには、凹部と凸部がそれぞれ設けられており、嵌合状態で、両者の凹部と凸部とは噛み合わされる場合は、カバー材を、通常の嵌合状態で簡易に抜け難くすることができる。
【００２３】
このような本発明の畳体・床材間の境界部構造は、上記した本発明の床見切材を用いている構成とされている。
【００２４】
上記した構成なので、上記した本発明の床見切材の効果を奏する畳体・床材間の境界部構造とすることができる。
【図面の簡単な説明】
【００２５】
【図１】実施例の畳体・床材間の境界部構造の概略構成を平面視で示す説明図である。
【図２】図１のＡ−Ａ線矢視断面図であって、実施例の畳体・床材間の境界部構造の詳細を示す説明図である。
【図３】図１のＢ部拡大図である。
【発明を実施するための形態】
【００２６】
以下、本発明を実施するための形態を、図面に示す実施例に基づいて説明する。
【実施例】
【００２７】
先ず、実施例の構成について説明する。
【００２８】
図１は、実施例の畳体・床材間の境界部構造の概略構成を平面視で示している。
【００２９】
この実施例の床見切材１は、２つの壁４，４のコーナー部に敷き詰められた畳体２，・・・と床材３との間に設けて境界部を形成している。
【００３０】
より具体的には、この床見切材１は、図２に示したように、畳体２，・・・と床材３との間の床下地材５に固定される受け材１１と、この受け材１１の上面を覆うように取り付けられるカバー材１２とから成る。
【００３１】
ここで、受け材１１は、図３に示したように、畳体２側の側面１１ａが畳体２の側面に圧接されるように設けられた状態で、畳体２，２間の目地との交差部に形成される隙間から見える高さを有している。
【００３２】
また、受け材１１は、金属（アルミニウム）製であり、図２に示したように、畳体２側の側面１１ａには、床材３の表面の色と略同一な色である茶系色の化粧シート１１２が貼設されている。
【００３３】
なお、化粧シート１１２の上端部には、折り返し代が設けられており、この折り返し代が受け材１１の上面に貼設されて、剥がれ難くなっている。
【００３４】
さらに、受け材１１は、床材３側の側面１１ｂと床材３の側面との間に若干の隙間が形成されており、施工誤差が吸収できるようになっている。
【００３５】
また、受け材１１は、上側にカバー材１２の後述する嵌合突起１２３を嵌合する嵌合溝１１１を有している。
【００３６】
さらに、受け材１１の嵌合溝１１１の底面には、受け材１１の下面まで貫通した締結部材挿通孔１１３，・・・が受け材１１の長手方向に沿って設けられている。
【００３７】
そして、嵌合溝１１１の上側から締結部材としてのビス６，・・・を挿入し、これらビス６，・・・を床下地材５まで締結することで、受け材１１は、畳体２，・・・と床材３との間に固定される。
【００３８】
また、カバー材１２は、樹脂製であり、長手方向に延びる本体部１２Ａを中心として、先端部が畳体２，・・・の側面に当接される畳体側庇状部１２１と、先端部が床材３の上面を覆う床材側庇状部１２２を有している。
【００３９】
さらに、カバー材１２は、本体部１２Ａの下側に、上述したように、受け材１１の嵌合溝１１１に嵌合する嵌合突起１２３を有している。
【００４０】
なお、嵌合突起１２３の外壁面には凹部と凸部が設けられており、上述した嵌合溝１１１の縦壁面にも凹部と凸部が設けられており、嵌合状態で、両者の凹部と凸部とは噛み合わされる。
【００４１】
次に、実施例の作用効果について説明する。
【００４２】
このような実施例の床見切材１は、畳体２，・・・と床材３との間に設けて境界部を形成する床見切材であって、畳体２，・・・と床材３との間の床下地材５に固定される受け材１１と、受け材１１の上面を覆うように取り付けられるカバー材１２とから成り、受け材１１は、畳体２側の側面１１ａが畳体２の側面に圧接されるように設けられた状態で、畳体２，２間の目地との交差部に形成される隙間から見える高さを有しており、カバー材１２は、先端部が畳体２の側面に当接される畳体側庇状部１２１と、先端部が床材３の上面を覆う床材側庇状部１２２とを有しており、カバー材１２の上面により、畳体２，・・・の上面と床材３の上面との間が略面一となるように取り付けられる構成とされている。
【００４３】
上記した構成なので、受け材１１の畳体２側の側面１１ａに、畳体２，・・・との大きな接触面積が確保されているため、畳体２，・・・に充分な圧力をかけることにより、複数の畳体２，・・・を美麗に敷設できる。
【００４４】
そのうえ、畳体２の側面側は、受け材１１の畳体２側の側面１１ａと、カバー材１２の畳体側庇状部１２１とが重なりあった複雑な形状であるため、床見切材１と畳体２，２間の目地との交差部に形成される隙間から見ても美観を呈する。
【００４５】
ここで、受け材１１は、金属製であり、畳体２側の側面１１ａは、床材３の表面の色と略同一の色である茶系色で着色されている。
【００４６】
このため、あたかも床材３と畳体２，・・・とが連続しているように見え、より美観を呈するうえに、特に受け材１１の畳体２側の側面１１ａから受ける押圧力にも十分耐え得る剛性を持たせることができる。
【００４７】
具体的には、受け材１１の畳体２側の側面１１ａに、床材３の表面の色と略同一の色である茶系色の化粧シート１１２が貼設されている。
【００４８】
このため、受け材１１の畳体２側の側面１１ａを、床材３の表面の色と略同一の色に簡易に着色することができる。
【００４９】
また、受け材１１は、上側にカバー材１２を嵌合して取り付ける嵌合溝１１１を有するとともに、カバー材１２は、下側に受け材１１の嵌合溝１１１に嵌合する嵌合突起１２３を有する。
【００５０】
このため、受け材１１へのカバー材１２の取り付けを嵌合するだけの容易な作業で行うことができる。
【００５１】
ここで、受け材１１の嵌合溝１１１の底面には、受け材１１の下面まで貫通した締結部材挿通孔１１３が設けられており、嵌合溝１１１の上側から締結部材としてのビス６，・・・を挿入し、ビス６，・・・を床下地材５まで締結することで、受け材１１を、畳体２，・・・と床材３との間に固定することが可能である。
【００５２】
このため、受け材１１の固定を簡易に行うことができる。
【００５３】
さらに、受け材１１の嵌合溝１１１の縦壁面とカバー材１２の嵌合突起１２３の外壁面とには、凹部と凸部がそれぞれ設けられており、嵌合状態で、両者の凹部と凸部とは噛み合わされる。
【００５４】
このため、カバー材１２を、通常の嵌合状態で簡易に抜け難くすることができる。
【００５５】
このような実施例の畳体・床材間の境界部構造は、上記した実施例の床見切材１を用いている構成とされている。
【００５６】
上記した構成なので、上記した実施例の床見切材１の作用効果を奏する畳体・床材間の境界部構造とすることができる。
【００５７】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００５８】
例えば、上記した実施例では、受け材１１の床材３側の側面１１ｂと床材３の側面との間に隙間を設けて実施したが、これに限定されず、隙間が無いようにして実施してもよい。
【符号の説明】
【００５９】
１      床見切材
１１    受け材
１１ａ  受け材の畳体側の側面
１１ｂ  受け材の床材側の側面
１１１  嵌合溝
１１２  化粧シート
１１３  締結部材挿通孔
１２    カバー材
１２Ａ  カバー材の本体部
１２１  畳体側庇状部
１２２  床材側庇状部
１２３  嵌合突起
２      畳体
３      床材
４      壁
５      床下地材
６      ビス（締結部材）
【図１】
2015059405.tif 000003
【図２】
2015059405.tif 000004
【図３】
2015059405.tif 000005